(57)【要約】      （修正有）【課題】ポップアップ機構において内部部品との間に壁を設けずに異物の侵入防止を行う構成を提供する。【解決手段】本体ユニットに対してスライド移動可能な可動部ユニットを保持し、本体ユニットに位置決め固定される固定ユニットと、可動部ユニットを本体ユニットに対して突出した位置へ付勢する付勢手段と、可動部ユニットを本体ユニットに対して収納した位置へと保持するロック手段と、可動部ユニットに対して一端が接続されて電気的接続を行うフレキシブル基板を備え、固定ユニットは可動部ユニットが本体ユニットに対して収納位置にある際にフレキシブル基板が屈曲した状態で収納され、フレキシブル基板の周囲を囲うようにたち壁形状が形成され、収納空間の中央部にはフレキシブル基板に沿ってガイドするように形成されたスロープ部が設けられ、スロープ部には収納されたフレキシブル基板から離間する方向へと一部凹形状部が形成される。【選択図】図７
2020030268.tif 000002
【特許請求の範囲】
【請求項１】
本体ユニット（１）と、
前記本体ユニット（１）に対して収納される位置と、突出した位置との間で移動可能な可動部ユニット（２０）と、
前記可動部ユニット（２０）をスライド移動可能に保持し、前記本体ユニット（１）に位置決め固定される固定ユニット（３０）と、
前記可動部ユニット（２０）を前記本体ユニット（１）に対して突出した位置へ付勢する付勢手段（３１）と、
前記可動部ユニット（２０）を前記本体ユニット（１）に対して収納した位置へと保持するロック手段（３３）と、
前記可動部ユニット（２０）に対して一端が接続されて電気的接続を行うフレキシブル基板（２９）を備え、
前記固定ユニット（３０）は、前記可動部ユニット（２０）が前記本体ユニット（１）に対して収納位置にある際に前記フレキシブル基板（２９）が屈曲した状態で収納されるように形成された収納空間（３０ｃ）が形成され、
前記収納空間（３０ｃ）は収納された前記フレキシブル基板（２９）の周囲を囲うようにたち壁形状（３０ｂ）が形成され、
前記収納空間（３０ｃ）には、収納された前記フレキシブル基板（２９）に沿ってガイドするように形成されたスロープ部（３０ｄ）が設けられ、
前記スロープ部（３０ｄ）には、前記収納空間（３０ｃ）に収納された前記フレキシブル基板（２９）から離間する方向へと一部凹形状部（３０ｅ）が形成されることを特徴とする撮像装置。
【請求項２】
前記収納空間（３０ｃ）において、前記スロープ部（３０ｄ）に形成された前記凹形状部（３０ｅ）の底面には粘着性を有する材料で形成された粘着性材料（３６）が配置されることを特徴とする請求項１に記載の撮像装置。
【請求項３】
前記収納空間（３０ｃ）において、前記スロープ部（３０ｄ）に形成された前記凹形状部（３０ｅ）の開口部には、底面に配置された前記粘着性材料（３６）の一部を覆うようにシート材（３７）が設置されることを特徴とする請求項１又は請求項２に記載の撮像装置。
【発明の詳細な説明】
【技術分野】
【０００１】
本発明は、可動部を筐体内の収納位置および突出した位置の間で移動可能な撮像装置に関する。
【背景技術】
【０００２】
特許文献１には、ストロボユニットの収納状態とポップアップ状態において本体との隙間を覆い、本体内に異物が侵入するのを防ぐための可動式のカバー部材を備えたデジタルカメラが開示されている。また、特許文献２には、本体部に対して突出した位置へとポップアップ可能なストロボユニットを備え、移動停止時の衝撃を緩和するために、可動ユニットのガイド部に弾性変形する付勢部材を備えたデジタルカメラが開示されている
【先行技術文献】
【特許文献】
【０００３】
【特許文献１】特開２０１４−１３０３６７号公報
【特許文献２】特開２０１３−５７７６３号公報
【発明の概要】
【発明が解決しようとする課題】
【０００４】
しかしながら、特許文献１においては、カバー部材によって本体との隙間を無くすことは不可能であり、本体内部に侵入した異物に対してはケアされていないため、鏡筒駆動部に飛散してしまうと動作に問題を起こしてしまう懸念があった。
【０００５】
特許文献２においては、発光部ユニットをかかえるストロボユニットを上下移動可能にガイドするための収納体を筐体内部に有しており、収納体はポップダウン時のストロボユニット周囲の面を覆うように形成されている。これにより、ストロボ収納時に、本体筐体内において収納体の肉厚分のスペースが必要となり、装置自体の小型化を阻害する要因となってしまっていた。
【０００６】
このような課題に鑑みて、本発明は、本体のサイズを大きくすることなく、本体内部に侵入した異物を鏡筒駆動部等に飛散することを防止したポップアップ構成を提供することを目的とする。
【課題を解決するための手段】
【０００７】
上記の目的を達成するために、本発明に係る撮像装置は、
本体ユニットと、
前記本体ユニットに対して収納される位置と、突出した位置との間で移動可能な可動部ユニットと、
前記可動部ユニットをスライド移動可能に保持し、前記本体ユニットに位置決め固定される固定ユニットと、
前記可動部ユニットを前記本体ユニットに対して突出した位置へ付勢する付勢手段と、
前記可動部ユニットを前記本体ユニットに対して収納した位置へと保持するロック手段と、
前記可動部ユニットに対して一端が接続されて電気的接続を行うフレキシブル基板を備え、
前記固定ユニットは、前記可動部ユニットが前記本体ユニットに対して収納位置にある際に前記フレキシブル基板がたたまれた状態で収納されるように形成された収納空間が形成され、
前記収納空間は収納された前記フレキシブル基板の周囲を囲うようにたち壁形状が形成され、
前記収納空間には、収納された前記フレキシブル基板に沿ってガイドするように形成されたスロープ部が設けられ、
前記スロープ部には、前記収納空間に収納された前記フレキシブル基板から離間する方向へと一部凹形状部が形成されることを特徴とする。
【発明の効果】
【０００８】
本発明によれば、内部部品との間に壁を設けずに、異物の侵入による動作不良を防止したポップアップ機構を構成することが可能な撮像装置の提供を実現できる。
【図面の簡単な説明】
【０００９】
【図１】本発明の実施形態に係る電子機器の一例である撮像装置の斜視図である。
【図２】電子ビューファインダをポップアップさせた撮像装置の斜視図である。
【図３】電子ビューファインダの展開斜視図である。
【図４】電子ビューファインダをポップアップした状態の本体内部の斜視図である。
【図５】電子ビューファインダの断面図である。
【図６】電子ビューファインダをポップアップした状態の本体断面図である。
【図７】電子ビューファインダの固定部材の説明図である。
【図８】電子ビューファインダの固定部材の断面図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１を参照して、本発明の実施形態に係る撮像装置の一例である撮像装置１の構成について説明する。図１は撮像装置１の斜視図である。図１（ａ）および図１（ｂ）はそれぞれ、撮像装置１の正面斜視図および背面斜視図である。
【００１２】
撮像装置１は、撮像光学系（不図示）を備える鏡筒ユニット２およびＣＣＤやＣＭＯＳイメージセンサ等で構成され、撮像光学系を介して結像された被写体の光学像を光電変換して画像データを生成する撮像素子（不図示）を備える。鏡筒ユニット２は、沈胴式で、収納時は撮像装置１の内部に沈胴する。また、撮像装置１には、撮像素子で生成された画像データをデジタル情報に変換する処理回路を載せた主基板（不図示）や補助基板（不図示）等が実装されている。
【００１３】
ストロボ装置３は、撮像装置１に内蔵されており、撮影時に被写体の明るさが不足している場合に、ポップアップさせて発光する。レリーズボタン４は、半押し状態（ＳＷ１がＯＮの状態）、および全押し状態（ＳＷ２がＯＮの状態）の２段階の押圧操作が可能である。レリーズボタン４が全押し操作されると、被写体が撮影され、記録媒体（不図示）に被写体像の画像データが記録される。
【００１４】
ズームレバー５は、レリーズボタン４の外周に回動可能に保持されている。ズームレバー５が一方に回動操作されると、Ｔｅｌｅ側（画角が狭くなる方向）へのズーム動作が行われ、他方に回動操作されると、Ｗｉｄｅ側（画角が広がる方向）へのズーム動作が行われる。電源ボタン６は、撮影者によって押下されると、撮像装置１が非使用状態であるオフ状態から使用可能な状態であるオン状態に、またはオン状態からオフ状態に切り替えられる。
【００１５】
マイク穴７は、撮像装置１に内蔵されたマイクに音声を取り込むために、集音性を考慮して撮像装置１の上方に設けられている。モード設定ダイヤル８は、撮像装置１に対して回転可能に支持されている。モード設定ダイヤル８の天面には、各種撮影モードに応じた複数のアイコン（不図示）が印刷されており、このアイコンを撮像装置１に設けられた指標（不図示）に合わせることで、アイコンに応じた各種モード等の設定を行うことができる。
【００１６】
電子ビューファインダ２０は、撮像装置１に内蔵されており、使用時には撮像装置１の上方へとポップアップさせて使用する。収納時は、ロック機構によって撮像装置１の内部に保持された状態でロックされている。撮像装置１は装置前面を覆うとともに外観を形成するフロントカバー９と、装置背面を覆うとともに外観を形成するリアカバー１０が形成される。
【００１７】
また、撮像装置１には、電源となる主電池（不図示）、および撮影された被写体像を記録する記録媒体（不図示）が内蔵されている。撮像装置１の側面には電源や信号の入出力用ジャック（不図示）が設けられ、ジャック保護用のジャックカバー１１で覆われている。ジャックカバー１１が開けられると入出力用ジャックが露出し、各種ケーブル類の抜き差しが可能となる。
【００１８】
操作ボタン群１２は複数の操作ボタンから構成され、中央には十字ボタンが配置されている。操作ボタン群１２の各操作ボタンは、撮影条件の変更や再生画面への切り替えといった各種支持を入力する際に利用される。撮像装置１の側面には、フロントカバー９とリアカバー１０にまたがるように外観面を形成しているサイドカバー１３が構成される。サイドカバー１３には、解除レバー１４がスライド操作可能に保持されており、解除レバー１４を操作することによって、電子ビューファインダ２０のロックを解除してポップアップ動作を行う。
【００１９】
表示装置１５は撮像装置１の背面に設けられ、撮影する被写体像の確認や、撮像画像の再生表示のために用いられる。表示装置１５としては、例えば、液晶ディスプレイが用いられる。表示装置１５は、ヒンジ装置（不図示）を介して、チルト動作を行うことができるように、撮像装置本体（本体ユニット）に取り付けられている。トップカバー１６は撮像装置１の上部の外観面を形成するとともに、電子ビューファインダ２０およびストロボ装置３の開口部を形成している。
【００２０】
次に、図２を参照して、電子ビューファインダ２０の動作について説明する。図２は、電子ビューファインダをポップアップさせた撮像装置の斜視図である。
【００２１】
図２（ａ）は、電子ビューファインダ２０が撮像装置１から上方へとポップアップした状態を示している。前述の撮像装置１の側面に配置された解除レバー１４を操作することによって、電子ビューファインダ２０が撮像装置１に収納された状態（図１）からポップアップ状態（図２）へと移動することができる。この状態からさらに、電子ビューファインダ２０の接眼部２８を、撮像装置１の背面側へと引き出した状態を図２（ｂ）に示す。電子ビューファインダ２０は接眼部２８を手前へと引き出した状態において使用可能となり、接眼部２８から、撮影する被写体像の確認や撮影画像の再生表示などを確認することができる。
【００２２】
前述の表示装置１５と電子ビューファインダ２０の表示の切り替えについて、本実施例においては、接眼部２８の引出し操作を検知するセンサ部（不図示）によって行われる。接眼部２８が引き出された時には電子ビューファインダ２０へと表示をおこない、収納時には背面の表示装置１５に表示を行う。この時、表示の切り替えについては、この手段のみに限らず、例えば、接眼部２８付近に赤外線近接センサ（不図示）を設けて、使用者が接眼部２８をのぞいたことを検知して、電子ビューファインダ２０への表示に切り替えても良い。
【００２３】
次に、図３を参照して、電子ビューファインダ２０の構成について説明する。図３は、電子ビューファインダ２０の展開斜視図である。
【００２４】
電子ビューファインダ２０には、上面を覆うとともに外観面を形成するカバー２１ａ、側面を覆うとともに外観面を形成するサイドケース２１ｂを備える。
【００２５】
ベースプレート２２は板金材料で形成され、２本の金属材料で形成されるガイドバー２３が加締められている。また、ベースプレート２２には係止ピン２２ａが形成されている。ガイドバー２３には一部径方向へと大きくなるようにフランジ形状部２３ａが形成される。ＥＶＦケース２５には、接眼部２８とは反対側の面に表示パネル２６が配置される。ＥＶＦケース２５の下部には基板２４が配置され、撮像装置１内部の主基板（不図示）からの画像信号を伝達するためのフレキシブル基板２９（図４に記載）が接続され、さらに表示パネル２６へと別のフレキシブル基板（不図示）が接続されて信号を伝達する。ＥＶＦケース２５の内部には光学レンズ群（不図示）が配置され、表示パネル２６に表示された画像を接眼部２８から覗いて確認できるようになっている。
【００２６】
表示パネル２６などをかかえるＥＶＦケース２５は、サイドケース２１ｂとともにベースプレート２２に対して複数の締結ビス２７によって固定される。
【００２７】
ＥＶＦホルダ３０は樹脂材料によって形成され、前述のベースプレート２２に加締められた２本のガイドバー２３が挿通されて、上下にスライド移動可能に保持している。この際、ガイドバー２３のフランジ形状部２３ａがＥＶＦホルダ３０に対して当接することでポップアップ時のスライド位置が決まる。ＥＶＦホルダ３０はフロントカバー９（図１）に対して位置決め固定される。ポップアップバネ３１はＥＶＦホルダ３０内部に収納されて、ガイドバー２３を上方へと付勢している。バネホルダ３２は板金材料によって形成されており、ポップアップバネ３１の端部を抑えるようにＥＶＦホルダ３０へと固定される。
【００２８】
ロックレバー３３は加締めピン３５によってバネホルダ３２に対して回動可能に保持されており、係止爪部３３ａを備える。付勢バネ３４は一端をロックレバー３３に係止され、他端をバネホルダ３２に係止されて保持されており、ロックレバー３３を一方向へと付勢している状態で構成される。ロックレバー３３は前述の解除レバー１４（図１記載）を操作することで、加締めピン３５を中心に回動動作を行うように構成される。
【００２９】
電子ビューファインダ２０は、ポップダウン時にはロックレバー３３の係止爪部３３ａによってベースプレート２２の係止ピン２２ａが係止されることによって、収納状態で保持されている。
【００３０】
電子ビューファインダ２０使用時には解除レバー１４を操作することで、ロックレバー３３が回動して係止ピン２２ａの係止を解除することで、表示部ユニットのポップアップ動作を行う。
【００３１】
次に図４および図５を参照して、電子ビューファインダ２０の可動部ユニットがポップアップ動作する際のフレキシブル基板２９が動作する構造について説明する。
【００３２】
図４は電子ビューファインダ２０がポップアップ状態にあるときの、撮像装置１内部構造を示した斜視図である。この状態で、可動部ユニットのＥＶＦケース２５に配置された基板２４（図３参照）に接続されたフレキシブル基板２９は、下方へと伸びてＥＶＦホルダ３０に形成されたフック爪３０ａによって保持されている。フック爪３０ａからさらに下方へと伸びたフレキシブル基板２９は本体背面を通り、撮像装置１内部に配置された主基板（不図示）に対して接続される。ＥＶＦケース２５の基板２４からＥＶＦホルダ３０のフック爪３０ａの間において、フレキシブル基板２９はガイドバー２３と、沈胴鏡筒２の内部機構を覆うように構成された鏡筒カバー４０の間の空間において屈曲した状態で保持される。
【００３３】
図５は電子ビューファインダ２０が収納状態にあるとき（ａ）とポップアップ状態（ｂ）にあるときのフレキシブル基板２９の形状を説明する断面図である。
【００３４】
図５（ａ）の収納状態において、フレキシブル基板２９は、ＥＶＦケース２５とＥＶＦホルダ３０の間の空間においてもっとも小さく折り畳まれた状態であり、フレキシブル基板２９の片側の表面はＥＶＦホルダ３０の一部と当接した状態である。この状態において、フレキシブル基板２９は、ＥＶＦホルダ３０のたち壁形状３０ｂによって囲まれて形成された収納空間３０ｃの内部に収納されている。
【００３５】
図５（ｂ）のポップアップ状態において、フレキシブル基板２９は、ＥＶＦケース２５とＥＶＦホルダ３０の間の空間においてもっとも引き伸ばされた状態であり、フレキシブル基板２９の片側の表面はＥＶＦホルダ３０から離間した状態である。
【００３６】
このように、フレキシブル基板２９は屈曲した状態で周囲をたち壁３０ｂで囲まれた収納空間３０ｃの内部に収納され、電子ビューファインダ２０の収納状態とポップアップ状態において変形可能に保持されている。
【００３７】
次に図６〜図８を参照して、撮像装置内に異物が侵入した際の動作不良を防止する構成について説明する。
【００３８】
図６は電子ビューファインダ２０がポップアップした状態の本体内部を示した断面図である。
【００３９】
電子ビューファインダ２０がポップアップした状態においてトップカバー１６と、ＥＶＦカバー２１ｂの間には隙間（矢印Ａ部）が発生してしまうため、ここから侵入した異物は撮像装置１の内部へと入ってしまう。撮像装置１の下部には、沈胴鏡筒２のズームモータ４１が配置されており、この部分に砂等の異物が侵入してしまうと鏡筒の動作に問題を起こしてしまう懸念がある。本発明においては、矢印Ａから侵入した異物は、ＥＶＦホルダ３０の収納空間３０ｃに異物がたまるように構成されているため、ズームモータ４１へと侵入するのを防止する構成となっている。
【００４０】
図７はＥＶＦホルダ３０の収納空間３０ｃの構造を示した上面図（ａ）および断面図（ｂ）である。
【００４１】
ＥＶＦホルダ３０にはたち壁３０ｂで囲まれた収納空間３０ｃの内部において、テーパ形状を成したスロープ部３０ｄが形成されている。スロープ部３０ｄは、電子ビューファインダ２０が収納状態（図５ａ）にあるときにフレキシブル基板２９の表面が当接してガイドされるように角度が形成されている。また、スロープ部３０ｄの表面には複数の凹形状部３０ｅが形成されている。これにより、ポップアップ時に侵入した異物はＥＶＦホルダ３０の収納空間３０ｃ内に収容され、さらにスロープ部３０ｄに形成された凹形状部３０ｅの中へと集積される。これにより、電子ビューファインダ２０が収納状態に移動して、フレキシブル基板２９が収納空間３０ｃで折りたたまれる際に異物による引っ掛かり等を防止してスムーズに収納することが可能となる。
【００４２】
次に、図８を参照して本実施例において、ＥＶＦホルダ３０の収納空間３０ｃに対してシートおよび両面テープを追加した実施例を説明する。
【００４３】
図８において、ＥＶＦホルダ３０のスロープ部３０ｄには凹形状部３０ｅが形成されており、凹形状部３０ｅの底面には粘着性を有した両面テープ３６が設置されている。これにより撮像装置１内部に侵入した異物が凹形状部３０ｅに落ちた際に、両面テープ３６に吸着されることで、再び凹形状部３０ｅから外に飛散するのを防止する。
【００４４】
さらに、凹形状部３０ｅ内には底面に設置された両面テープ３６の一部を覆うようにシート材３７が貼り付けられている。これにより、前述の両面テープ３６で吸着しきれなかった異物が、凹形状部３０ｅの外に排出されるのを防止することが可能となる。
【００４５】
以上説明したように、電子ビューファインダ２０をポップアップさせる構成において、フレキシブル基板２９の収納空間３０ｃにスロープ部３０ｄと凹形状部３０ｅを設けることで、内部に侵入した異物を収容して鏡筒動作の不良を防止することが可能となる。
【００４６】
さらに、凹形状部３０ｅ内に両面テープ３６、逆流防止のシート材３７を配置することで侵入した異物が収容空間３０ｃから排出されるのを防止することができる。
【００４７】
本実施例では、電子ビューファインダがポップアップする構成を用いているが、本発明はこれに限定されない。光学式のファインダやストロボユニット等の装置がポップアップする構成が用いられてもよい。
【００４８】
以上、本発明の好ましい実施形態について説明したが、本発明はこれらの実施形態に限定されず、その要旨の範囲内で種々の変形および変更が可能である。
【符号の説明】
【００４９】
１  撮像装置、９  フロントカバー、１６  トップカバー、
２０  電子ビューファインダ、３０  ＥＶＦホルダ、３１  ポップアップバネ、
３２  バネホルダ、３３  ロックレバー、３０ｂ  たち壁形状、
３０ｃ  収納空間、３０ｄ  スロープ部、３０ｅ  凹形状部、
３６  粘着性材料、
３７  シート材
【図１】
2020030268.tif 000003
【図２】
2020030268.tif 000004
【図３】
2020030268.tif 000005
【図４】
2020030268.tif 000006
【図５】
2020030268.tif 000007
【図６】
2020030268.tif 000008
【図７】
2020030268.tif 000009
【図８】
2020030268.tif 000010